(57)【要約】【課題】スーパーマーケットなどで購入して自宅に持ち帰った食品類を、レジカゴやレジカゴ対応のバッグに入れたままの状態で冷蔵貯蔵空間の専用スペースに収納することにより、区分して収納する煩雑さをなくして使い勝手を良好にした冷蔵庫を提供する。【解決手段】冷蔵庫本体１の上部に冷蔵貯蔵空間６を配置するとともに前記冷蔵貯蔵空間の下方には断熱仕切壁５を介して冷凍貯蔵空間６あるいは他の貯蔵室を配置してなり、前記冷蔵貯蔵空間内の下方部位には、レジカゴ25、あるいはレジカゴに相当する容積を有するバッグを収納することができる独立空間15を形成したことを特徴とする。【選択図】  図１
2009121795.tif 000002
【特許請求の範囲】
【請求項１】
冷蔵庫本体の上部に冷蔵貯蔵空間を配置するとともに前記冷蔵貯蔵空間の下方には断熱仕切壁を介して冷凍貯蔵空間あるいは他の貯蔵室を配置してなり、前記冷蔵貯蔵空間内の下方部位には、レジカゴ、あるいはレジカゴに相当する容積を有するバッグを収納することができる独立空間を形成したことを特徴とする冷蔵庫。
【請求項２】
冷蔵貯蔵空間下方部位のスペースには、レジカゴ、あるいはレジカゴに相当する容積を有するバッグを載置する容器を設け、この容器を前後摺動可能に保持する引き出し機構を備えたことを特徴とする請求項１記載の冷蔵庫。
【請求項３】
冷蔵貯蔵空間は専用の冷却器によって冷却され、下方部位の容器には前後に開口を形成して冷気が流通するようにしたことを特徴とする請求項２記載の冷蔵庫。
【請求項４】
冷蔵貯蔵空間の下方部位のスペースに収納したレジカゴ、あるいはバッグの開口の高さは、冷蔵庫設置床面から１ｍ以下に設定したことを特徴とする請求項１記載の冷蔵庫。
【発明の詳細な説明】
【技術分野】
【０００１】
本発明は、本体上部に配設した冷蔵貯蔵空間内の下方部位にレジカゴ、あるいはレジカゴに相当する容積を有するバッグが収納可能なスペースを形成した冷蔵庫に関する。
【背景技術】
【０００２】
家庭用の大容量冷蔵庫は、多様なユーザニーズに対応すべく冷却貯蔵温度の多様化とともに貯蔵室ごとに多くの扉を設けた冷蔵庫が商品化されており、これまで、冷蔵室に対して冷凍室を上部に配置したトップフリーザタイプ、上部の冷蔵室と下部の野菜室との間に冷凍室を配置したミドルフリーザタイプ、冷凍室を最下部に配置したボトムフリーザタイプ、上部の冷蔵室の下方に縦長の冷凍室と野菜室を併置したタイプ、冷凍室と冷蔵室とを左右に併置したサイドバイサイドタイプなど様々な形態が商品化されてきた。
【０００３】
このような商品環境の中で、各貯蔵室の設置場所については、近年では、使い勝手を考慮して、使用頻度が高く収納容積の最も大きい冷蔵室を最上段に設置し、その下方に野菜室、最下部に冷凍室を設置したタイプが主流になり、さらに、比較的小容量の製氷室や温度切替室などを前記野菜室と冷凍室の間に配設して使い勝手を向上させた形態、例えば、特許文献１に記載されている形態が多くなっている。また、前記比較的小容量の製氷室や温度切替室などを冷蔵室と中段の野菜室との間に配設した形態も商品化されている。
【０００４】
一方、従来より、スーパーマーケットなどの食品小売り店舗においては、購入商品を収納するためのレジ袋が提供されている。このレジ袋は、ポリエチレンなどの耐水不透過材料からなり、購入商品の量により適切な大きさのレジ袋が提供されていた。
【０００５】
しかし近年は、環境意識の高まりから、家庭ゴミの減量を目的にして、買い物カゴ、あるいは買い物袋を持参してレジ袋を使用しない消費者が増加している。これら買い物カゴあるいは買い物袋に対して、近年、利便性に優れ普及しつつあるものに、スーパーマーケットなどの店舗で使用されている買い物商品を入れてレジで支払いをするためのいわゆるレジカゴと同等寸法のプラスチック製のカゴ（マイレジカゴ）や、前記レジカゴの内側寸法と同等の寸法に形成した布製バッグ（レジカゴ対応バッグ）がある。
【０００６】
これらは、店のレジカゴと同等寸法であるために、商品の支払い時に店のレジカゴに代えてレジ係員に渡してその中に買い物商品を入れてもらい、また、バッグの場合は店のレジカゴの内側にバッグをセットし、その中にレジを通した商品を入れてもらうものであり、支払いが終わった後は、そのまま、あるいはレジカゴからバッグごと取り出して持ち帰ることができるため、客が自ら商品の袋詰めをするセルフサッカー方式が一般的であるスーパーマーケットにおいても購入者自身が商品の袋詰めをする必要がなく便利な方式である。
【特許文献１】特開２００４−３７０４２号公報
【発明の開示】
【発明が解決しようとする課題】
【０００７】
しかしながら、前記マイレジカゴやレジカゴ対応バッグを使用した場合でも、自宅に持ち帰った食品類を冷蔵庫に収納する場合には、あらためてカゴやバッグから食品類を取り出して収納する必要があった。これは、従来の冷蔵庫の構成が、食品の種類毎に収納位置を設定し、例えば、野菜や果物は高湿度の雰囲気に保持された野菜室に収納し、魚肉は冷蔵室温度より低温の１℃前後に保持されたチルドルームに収納するというように分類して収納することを念頭に置いた形態であったためである。
【０００８】
これに対して、近年市場に普及している冷凍用および冷蔵用各々の専用冷却器を備えた冷蔵庫においては、単一冷却器で冷却するタイプに比して冷蔵用冷却器の蒸発温度を高くし、貯蔵食品との温度差を少なくすることで霜付き量を低減して貯蔵空間内の高湿度化を実現しており、また、精密な温度制御による高鮮度機能の向上によって、前記のように野菜や魚肉類などの食品を分類毎に区分して収納する必然性が薄くなりつつある。また、近年は冷蔵庫の大容量化が進んでいることから、冷蔵室内に独立した大きな収納スペースを確保できるようになっている。
【０００９】
本発明は、上記の点を考慮してなされたものであり、スーパーマーケットなどで購入して自宅に持ち帰った食品類を、レジカゴやレジカゴ対応のバッグに入れたままの状態で冷蔵貯蔵空間の専用スペースに収納することにより、区分して収納する煩雑さをなくして使い勝手を良好にした冷蔵庫を提供することを目的とする。
【課題を解決するための手段】
【００１０】
上記課題を解決するため、本発明による冷蔵庫は、冷蔵庫本体の上部に冷蔵貯蔵空間を配置するとともに前記冷蔵貯蔵空間の下方には断熱仕切壁を介して冷凍貯蔵空間あるいは他の貯蔵室を配置してなり、前記冷蔵貯蔵空間内の下方部位には、レジカゴ、あるいはレジカゴに相当する容積を有するバッグを収納することができる独立空間を形成したことを特徴とするものである。
【発明の効果】
【００１１】
本発明の構成によれば、スーパーマーケットなどで購入し、マイレジカゴ、あるいはレジカゴ対応バッグに入れて持ち帰った食品類を区分整理することなく、レジカゴ、あるいはバッグに入れたままの状態で冷蔵庫内の専用スペースに収納することができ、使い勝手を格段に向上させることができる。
【発明を実施するための最良の形態】
【００１２】
以下、本発明の１実施形態につき図面を参照して説明する。図１に全体の縦断面図、図２に冷蔵室扉を開扉した状態の斜視図を示す冷蔵庫本体（１）は、外箱（２）と内箱（３）との間に発泡断熱材（４）を充填して断熱箱体を形成し、貯蔵室内部を断熱仕切壁（５）によって上部の冷蔵貯蔵空間（６）と下部の冷凍貯蔵空間（７）とに区画している。
【００１３】
前記冷蔵貯蔵空間（６）の前面開口部は観音開き式の左右の扉（８）によって閉塞するとともに、内部の上方部は複数段の載置棚（９）を設けた冷蔵室（10）とし、その下方を透明樹脂製の載置棚を兼ねた天井仕切板（11）で仕切ることで側方部に製氷用の給水タンクや卵ポケットなどの小物収納部を設け、室内を０〜−３℃程度に冷却する引き出し式の低温室（12）を配置している。
【００１４】
さらに、冷蔵貯蔵空間（６）の最下部には、前記低温室（12）と同様に、低温室（12）の底面を形成するとともに冷蔵室（10）の全幅に亙って配した底面仕切板（13）を介して、側方部に小物収納部（14）を設けた詳細を後述する独立空間（15）を形成している。
【００１５】
前記冷凍貯蔵空間（７）については、前記断熱仕切壁（５）の直下に比較的小容積の自動製氷装置を備えた製氷室（16）と、同様に比較的小容積の冷却貯蔵室、例えば、−１８℃や−９℃のソフト冷凍温度帯などの冷凍温度に冷却することができる温度切替室（17）とをその前面開口部に設けた縦仕切板で左右に区分し、各前面開口部に設けた扉とともに引き出し式で併置している。なお、前記温度切替室（17）は、上記温度帯に限らず、−３℃のパーシャルフリージング温度やチルド温度、冷蔵温や野菜室温度などの温度帯に切り替えるようにしてもよく、あるいは、冷凍専用の第２の冷凍室としてもよい。また、第２の野菜室、例えば独立した果物の専用室とするような仕様にしてもよいものであり、前述のように室内の温度が冷凍仕様であった場合は、製氷室（16）との間を断熱壁で区分する必要はない。
【００１６】
併置している前記製氷室（16）と温度切替室（17）の下部には、前面を横仕切板で上下に区画し、前記同様に引き出し扉式としてその高さ寸法を３５０〜５００ｍｍと従来に比し拡大した冷凍室（18）を本体の全幅に亙って設けている。
【００１７】
冷凍室（18）は、その前面開口部を開閉自在に閉塞する扉（19）の内側に、左右一対の、特に図示しない支持枠を固着しており、この支持枠とともに冷凍室（18）内の両側壁面に前後方向に亙って配置したレール部材によって、冷凍食品を収納する収納容器（18ａ）を保持し、前後に摺動可能な引き出し方式としている。
【００１８】
収納容器（18ａ）は、合成樹脂の射出成型品であって上面を開口した底の深い箱状をなしており、その開口した上面の周縁にはフランジ部を形成し、このフランジ部を利用して前記開口をほとんど覆うように比較的底の浅い皿状の中段容器（18ｂ）を載置している。
【００１９】
そして、冷凍室扉（19）を引き出した際には、収納容器（18ａ）とともに中段容器（18ｂ）が、レール部材によってその後端が冷凍室（18）の前面開口部より前方に出るまでフルオープン状態で大きく引き出されるものであり、中段容器（18ｂ）は収納容器（18ａ）のフランジ部上を前後方向に摺動可能として収納容器（18ａ）の上面開口を開閉し、また中段容器（18ｂ）自体の引き出し収納ができるように設けている。
【００２０】
また、前記収納容器（18ａ）および中段容器（18ｂ）の上方には、これら容器（18ａ）（18ｂ）および冷凍室扉（19）の開閉とは関連なく、独立して引き出し、また庫内に収納される上段容器（18ｃ）を設置している。この上段容器（18ｃ）は、中段容器（18ｂ）の上方に位置しているが、その保持は、上段容器（18ｃ）の上面開口の両側縁に形成したフランジ部を冷凍室（18）の側壁に内方へ突出して設けた支持レールに直接支承し、前後に摺動可能に支持する構成であることから、冷凍室扉（19）と中段容器（18ｂ）および下段の収納容器（18ａ）を支えているレール部材に荷重負担は掛からないとともに、冷凍室扉（19）の開扉には連動しない構成であり、上段容器（18ｃ）を引き出す場合は、冷凍室扉（19）を引き出した後に、冷凍室扉（19）の裏面上部に対向して位置する上段容器（18ｃ）の前壁の一部に形成した把手を把持して独自に引き出し、また室内に押し込むことになる。
【００２１】
前記各容器については、その収納深さの差と冷凍室扉（19）との連動の有り無しにより、各容器内へ収納する食品を区分するものであり、例えば、冷凍室扉（19）に連動して開閉される最下部の収納容器（18ａ）内には、比較的大形状で多用する冷凍食品を収納し、浅底の中段容器（18ｂ）には比較的小形で頻繁に使用する食品を収納するようにすれば、冷凍室扉（19）の開扉に連動して収納容器（18ａ）および中段容器（18ｂ）が引き出されるので、使い勝手よく食品を取り出し収納することができ、上段容器（18ｃ）には、大形状で比較的長期に亙るストックを目的にした冷凍食品を収納するようにすれば、容器の収納深さが深いことから余裕をもって食品を収納できる。
【００２２】
前記冷蔵貯蔵空間（６）および冷凍貯蔵空間（７）のそれぞれの背面部には、冷蔵用冷却器（20）および冷凍用冷却器（21）および各冷却器に対応するファン（22）（23）をそれぞれ配設し、各冷却器（20）（21）で生成された冷気をファン（22）（23）によりそれぞれの貯蔵室内に導入しこれを冷却するようにしている。
【００２３】
前記冷蔵および冷凍冷却器（20）（21）は、冷蔵庫本体（１）の下部に設けた圧縮機（24）の吐出側からの冷媒を、特に図示しない冷凍サイクルにより交互に導いて冷却されるものであり、冷蔵貯蔵空間（６）については、熱交換により低温化された冷気を、ファン（22）により、冷蔵室（10）の背面両側に形成した冷気ダクトを介して冷気吹出口から冷蔵室（10）内に吐出することによって室内を適温に冷却する。また、前記冷気ダクトから冷気の一部を前記低温室（12）に直接導入して室内を低温に冷却するようにしている。
【００２４】
また、冷凍運転になると、冷媒は冷凍用冷却器（21）に直接導入されて低い蒸発温度で蒸発し、熱交換により低温−２０℃以下の低温となった冷気をファン（23）で冷凍貯蔵空間（７）である冷凍室（18）や製氷室（17）などに導入し、強制循環させることによって各室を所定温度に冷却するように制御する。
【００２５】
制御装置は、主に冷蔵室（10）内の温度と冷凍室（18）の温度とを比較して圧縮機（24）、各ファン（22）（23）の運転を行う。また、冷蔵運転と冷凍運転との切り替えは、冷却中の各室内温度が所定温度、例えば、冷蔵室温度センサの検知温度が０℃、冷凍室温度センサの検知温度が−２０℃に達するか、あるいは、冷却運転時間が所定時間、例えば冷蔵運転が１５分〜２０分、冷凍運転が３０分〜４０分が経過すると三方弁を動作させて他方の冷却運転に切り替え、交互に運転するように制御している。
【００２６】
冷凍運転においては冷蔵用冷却器（20）に冷媒は流れないが、冷蔵用のファン（22）を回転させるようにしており、冷蔵運転後で着霜状態にあることからその表面温度は−３℃程度である冷蔵用冷却器（20）に冷蔵室内冷気を流下させることで、０℃以上の空気の循環によって冷却器に付着している霜を融かし、同時に霜の融解による水分を多く含んだ高湿低温の冷気を冷蔵室（10）および独立空間（15）内に流入させるようにしている。
【００２７】
これにより、独立空間（15）内温度は１〜２℃程度まで冷却保持されることになり、さらに加湿冷気が流入することで冷蔵室（10）と同様に湿度は９０％程度に高くなり、魚肉や野菜類を独立して密閉保管せずとも乾燥しない雰囲気を保持することができる。
【００２８】
しかして、前記独立空間（15）は、図３の斜視図に示すスーパーマーケットなどで買い物時に使用するレジカゴとほぼ同形状の個人用のレジカゴ（25）、あるいは、図４に示す前記レジカゴ（25）に相当する容積を有するレジカゴ対応のバッグ（26）が収納可能なスペースに形成されており、その底部には、前記独立空間（15）の両側に設置したレール部材（27）によって前後方向に所定長に亙って摺動可能とした引き出し容器（28）を設置している。
【００２９】
スーパーマーケットなどの店内で使用されているレジカゴのサイズは、概ね幅４８ｃｍ、奥行き３５ｃｍ、高さ２４ｃｍにほぼ統一されていることから前記個人用のレジカゴ（25）もほぼ同サイズのものを使用する。レジカゴ対応のバッグ（26）についても、前記レジカゴ（25）の内部にはめ込んで使用するものであることからレジカゴ（25）よりは小さいサイズであり、一般には、幅４７ｃｍ、奥行き３１ｃｍ、高さ２２ｃｍ前後の種々の商品が市場で販売されている。
【００３０】
引き出し容器（28）は、前記レジカゴ（25）、あるいはレジカゴ対応のバッグ（26）を収納し、引き出して使用するために高さの低い前壁（28ａ）と底面と周囲壁を有して上面を開放した容器であり、背面壁（28ｂ）は前記レジカゴ（25）と同等以上の高さを有するようにする。これはレジカゴ（25）やバッグ（26）を引き出した際に、内部の食品などが後方に落下することを防ぐためである。これに対して、両側壁は背面ほどの高さ寸法にする必要はなく、前記レジカゴ（25）やバッグ（26）が安定して設置できる高さであればよく、より好ましくは、レジカゴ（25）の持ち手（25ａ）より低い高さに止めることで、レジカゴ（25）の独立空間（15）からの脱着時に持ちやすくなる利点がある。
【００３１】
また、前壁（28ａ）の高さは低くすることで独立空間（15）の前面を大きく開口させ、レジカゴ（25）やバッグ（26）の収納や取り出し作業を容易にするとともに、底面は孔を設けない形状にして、レジカゴ（25）の網目などからこぼれ落ちた食品くずなどを受けて下方への落下を防ぐようにしている。なお、引き出し容器（28）の底面構造としては、底面を設けず枠状に形成してここに食品くずなどを受けるためのトレイなどの別部品を着脱可能に設けるようにすれば、洗浄も容易となってレジカゴ（25）の設置部を衛生的に保持することができる。
【００３２】
前記レール部材（27）や引き出し容器（28）をからなる引き出し機構は、本発明において必須の機構ではないが、レジカゴ（25）やバッグ（26）が比較的大きくまた重量もあることから、その内部の食品取り出し作業を容易にする構成として有効である。
【００３３】
前記引き出し容器（28）の背面壁（28ｂ）の上方は、前記内箱背面に配設した冷気ダクトからの冷気吹出口の一部に対応させており、吹き出された一部の冷気が引き出し容器（の背面壁（28ｂ）の上方開口からレジカゴ（25）やバッグ（26）内を通過して前方に流れ出るように形成している。また、前記背面壁（28ｂ）自体にも冷気通過透孔を設けておけば、冷気ダクトから吹き出された食品類と比較的温度差の少ない高湿の冷気がレジカゴ（25）の網目を通過して循環し、収納されている食品類の乾燥を抑制してよりすみやかに、且つ効果的に冷却することができる。
【００３４】
冷蔵室（10）およびレジカゴ（25）内を冷却した冷気は、冷蔵貯蔵空間（６）の下部後方に設けた冷気吸込み口（29）から冷蔵用冷却器（20）に戻り、再び冷却されることになる。またレジカゴ対応のバッグ（26）についても冷気流通が可能な透孔を多数設けるようにすれば内部の冷却効果を助長させることができる。
【００３５】
本発明は上記のように構成されており、冷蔵庫本体（１）内は、冷蔵貯蔵空間（６）の下部の断熱仕切壁（５）と、冷凍貯蔵空間（７）である製氷室（16）および温度切替室（17）と冷凍室（18）との間を区画する横仕切板、そして前記断熱仕切壁（５）と横仕切板との間で製氷室（16）と温度切替室（17）との前面を区画するように配設した縦仕切板とによって大きく４区画に分割されるものである。
【００３６】
したがって、従来のように、冷蔵庫本体（１）内を単純に上下３室に分割し、その前面にそれぞれ扉を配設した場合は、各扉自体が大きくなり重くなって断熱箱体に掛かる荷重が増大することから、冷蔵庫本体（１）はその強度をより大きく設計する必要があるが、本発明の場合は、冷蔵貯蔵空間（６）下部の断熱仕切壁（５）と冷凍室（18）上部の横仕切板との間の貯蔵空間を左右に区画する縦仕切板によって、冷蔵庫本体（１）の中間部位にほぼエ字状の補強構造が形成でき、キャビネットとしての剛性を増大し強度を向上させることができる。
【００３７】
また、前記縦仕切板によって左右に分割した一室を製氷室（16）としており、これにより、製氷室（16）を独立して形成できるとともに、冷蔵室（10）の下方であって大容量の冷凍室（18）の上方に位置させたことから、製氷室（18）の高さは、従来の野菜室の下方に配置した場合に比較して高くなる。具体的には、その上端は冷蔵庫の設置床面から７００ｍｍ程度の高さとなり、いわゆるベルトラインよりわずかに下方に位置させることができ、氷の取り出しも腰を屈めることなく容易に操作することができるため使い勝手がよい。
【００３８】
一方、独立空間（15）は、冷蔵貯蔵空間（６）内の底部に配した引き出し容器（28）とその上部に設置した底面仕切板（13）によって区画形成したので、従来、冷蔵庫本体の高さ方向の中間部に配置された野菜室によって、その上下に断熱仕切壁を設けざるを得ない構成や専用の引出し式扉とレール機構からなる構成に比し、これらを不要にできるとともに少なくとも断熱仕切壁を１箇所減らすことができるため、高さ方向のみならず、幅、奥行き方向についても有効な収納容積を大幅に増大させることができる。さらに、前述のように専用扉がなく、引き出しレール機構も簡易な構成でよいことから、コストも大きく低減させることができる。また、扉数も少なくなることから前面開口部における結露現象を抑制できるとともに前面開口部からの熱漏洩を減少できるので消費電力を低減することができる。
【００３９】
そして、スーパーマーケットで購入した食品類をレジカゴ（25）あるいはレジカゴ相当の大きさであるレジカゴ対応のバッグ（26）に入れて持ち帰った場合は、冷蔵室扉（８）を開け、前記引き出し容器（28）を引き出して食品類が入ったレジカゴ（25）あるいはバッグ（26）をそのままその内部に載置し、引き出し容器（28）を押し込んで独立空間（）に収納するものであり、買い物後の冷蔵庫内への収納作業をきわめて容易におこなうことができるばかりでなく、レジカゴ（25）の周囲には、前記引き出し容器（28）内には前後の開口により冷気流通が常時おこなわれるので、収納した食品をすみやかに冷却することができる。
【００４０】
これにより、食品類を室温内に長時間放置することなくすみやかに冷却貯蔵できることから、食品の温度上昇を抑制して高湿度の冷気により鮮度を保持することができる。なお、冷凍食品については、レジにおける支払い時にあらかじめ冷蔵食品とは区分けしておくことですみやかに冷凍室（18）など冷凍貯蔵空間（７）に収納することができる。
【００４１】
また、独立空間（15）が冷蔵貯蔵空間（６）内に配置されているので、買い物後の冷蔵食品と野菜類の収納が、従来のように冷蔵室扉および野菜室扉双方をそれぞれ開放する必要がなく、冷蔵室扉（８）を開放することで一度におこなえる便利さがある。このとき、冷蔵室扉（８）を開扉し、独立空間（15）のレジカゴ（25）を前方に引き出すだけで、その上面が大きく開口するため、開口部から手を入れて直接食品類を出し入れする作業が可能となり、冷蔵貯蔵空間（６）に区分けして収納した従来の貯蔵品と同じ感覚で食材としての種々の食品類をレジカゴ（25）内から取り出し収納することができるため、使い勝手が向上し、冷蔵室扉（８）の開放時間が短くなり、扉開閉回数も少なくして熱漏洩を低減できる。
【００４２】
さらにまた、独立空間（11）に収納したレジカゴ（25）の上端部の高さは、前記図１における平均的使用者モデルとしての４０歳代女性（Ａ）の肘高さ位置、すなわち、９７ｃｍに対して、ほぼ同じ高さの床面から１ｍ未満に設定することにより、レジカゴ（25）の中から食品類を取り出す作業がおこないやすくなるだけでなく、レジカゴ（25）の持ち手（25ａ）の位置が肘高さより低い位置となって持ちやすくなり、レジカゴ（25）を出し入れする際の作業者の負担が少なくなる利点がある。
【００４３】
さらに、本実施例の冷蔵庫においては、前記冷蔵貯蔵区間（６）の冷気吸込み口（29）と冷蔵用冷却器（20）との間の冷気通路に、オゾンを用いた空気浄化装置（30）を設けている。したがって、冷蔵貯蔵空間（６）内を循環した冷気が冷蔵用冷却器（20）に戻る経路中で空気浄化装置（30）を通過することにより冷気中に含まれるニオイ成分や浮遊菌を分解除去することができるようにしている。
【００４４】
一方、前記レジカゴ（25）やレジカゴ対応バッグ（26）は、店と自宅とを往復することから、外歩きで汚れたり、汚染される可能性が大きくなる。そして、レジカゴ（25）が設置される独立空間（15）や冷蔵室（10）には生鮮食品が収納されていることから、衛生面での配慮を必要とするが、レジカゴ（25）の下流側への前記空気浄化装置（30）の配設により、室内循環冷気の脱臭をおこなうだけでなく、レジカゴ（25）を汚染源とする室内の浮遊菌などを冷気とともに空気浄化装置（30）によって分解除去するため、前記による空気汚染を抑制することができるものである。
【００４５】
なお、本実施例では、冷蔵室扉（８）は観音開き式であることから、冷蔵室扉（８）が大形化しても熱漏洩を抑制して比較的軽い力で開閉扉ができるものであるが、レジカゴ（25）の出し入れ時に冷蔵室扉（８）が勝手に閉まらないようにするため、特に詳細は図示しないが、バネ作用などを利用した扉ストッパー機構（31）を本体上面部に設けて扉の全開位置を保持するようにしている。このように構成することによって、比較的大きくて重いレジカゴ（25）を出し入れする際にも扉ポケットなどが出し入れ操作の妨げにならず使い勝手を良好にできるものである。
【図面の簡単な説明】
【００４６】
【図１】本発明の１実施形態を示す冷蔵庫の縦断面図である。
【図２】図１における冷蔵室扉の開扉状態を示す斜視図である。
【図３】図１における独立空間に配設したレジカゴを示す斜視図である。
【図４】図３のレジカゴ内にセットされるレジカゴ対応バッグの斜視図である。
【符号の説明】
【００４７】
１  冷蔵庫本体            ５  断熱仕切壁            ６  冷蔵貯蔵空間
７  冷凍貯蔵空間          ８  冷蔵室扉              ９  載置棚
10  冷蔵室                11  天井仕切板            12  低温室
13  底面仕切板            15  独立空間              16  製氷室
17  温度切替室            18  冷凍室                18ａ、18ｂ、18ｃ  収納容器
20  冷蔵用冷却器          21  冷凍用冷却器          22、23  ファン
25  レジカゴ              26  レジカゴ対応バッグ    27  レール部材
28  引き出し容器          29  冷気吸込み口          30  空気浄化装置
31  扉ストッパ機構
【図１】
2009121795.tif 000003
【図２】
2009121795.tif 000004
【図３】
2009121795.tif 000005
【図４】
2009121795.tif 000006